(57)【要約】      （修正有）【課題】形成に係わる工程が簡便で、且つ設置時の作業も容易となされた防護柵のビーム取付構造及び防護柵する。【解決手段】ビームと継手金具１とにボルト孔を穿設するのみでビームの取り付けが可能となり、防護柵の形成に係わる工程は簡便なものとなるが、ボルトの係止部が断面矩形で、嵌着孔１２に嵌着されて、ナットの締結時に共回りしないようになされていることで、設置時にはボルトを押さえることなくナットを緊結することができ、設置時の作業は容易なものとなり得る。【選択図】        図４
2006328857.tif 000002
【特許請求の範囲】
【請求項１】
支柱に筒状の継手金具が取り付けられ、該継手金具がビームの端部から挿通され、前記継手金具と前記ビームとに各々穿設されたボルト孔にボルトが挿通され、前記継手金具と前記ビームとを貫通したボルトにナットが螺着されることで前記継手金具と前記ビームとが固定される取付構造であって、前記ボルトのボルト部の一部に係止部が設けられ、前記継手金具の少なくとも一方の前記ボルト孔が前記係止部を嵌着可能な嵌着孔となされ、前記係止部と前記嵌着孔とが嵌着されて前記ナットの締結時に前記ボルトが共回りしないようになされていることを特徴とする防護柵のビーム取付構造。
【請求項２】
前記嵌着孔は、ビームの延設方向に沿って長孔となされ、該長孔内の長手方向に沿って前記係止部が摺動可能となされていることを特徴とする請求項１に記載の防護柵のビーム取付構造。
【発明の詳細な説明】
【技術分野】
【０００１】
本発明は、道路や橋梁に設置されるガードパイプ、高欄等の防護柵の、支柱にビームパイプを取り付けるためのビーム取付構造及び防護柵に関するものである。
【背景技術】
【０００２】
支柱へのビームパイプの取り付けにおいて、ビームパイプ内に継手を挿入しボルト止めを行うことで、強度を確保しつつ美観の向上を図るビーム取付構造としては、本出願人により支柱間にビームパイプが仮設されてなる防護柵において、筒状の継手本体の長さ方向に沿って固着された取付部材に複数のナットを固定し、該ナットに対応してボルト孔が貫通された防護柵のビームパイプ用継手が開示されている。
【０００３】
【特許文献１】実願昭６３−８４７７４号のマイクロフィルム（実開平２−６７１７号）
【発明の開示】
【発明が解決しようとする課題】
【０００４】
しかしながら、特許文献１に記載のような従来の防護柵のビーム取付構造では、継手の構造が複雑なものとなり、防護柵の形成に係わる工程が煩雑なものとなる。また、防護柵の形成に係わる工程を簡便すべく単に上下方向にボルト孔を貫通して設ける程度では、ボルトの取付時に共回り等を起こして、防護柵の設置時の作業が繁雑なものとなる恐れがあった。
【０００５】
本発明は上記の如き課題に鑑みてなされたものであり、形成に係わる工程が簡便で、且つ設置時の作業も容易となされた防護柵のビーム取付構造及び防護柵を提供せんとするものである。
【課題を解決するための手段】
【０００６】
上記目的を達成するため、本発明は以下のような構成としている。すなわち、本発明に係わる防護柵のビーム取付構造は、支柱に筒状の継手金具が取り付けられ、該継手金具がビームの端部から挿通され、前記継手金具と前記ビームとに各々穿設されたボルト孔にボルトが挿通され、前記継手金具と前記ビームとを貫通したボルトにナットが螺着されることで前記継手金具と前記ビームとが固定される取付構造であって、前記ボルトのボルト部の一部に係止部が設けられ、前記継手金具の少なくとも一方の前記ボルト孔が前記係止部を嵌着可能な嵌着孔となされ、前記係止部と前記嵌着孔とが嵌着されて前記ナットの締結時に前記ボルトが共回りしないようになされていることを特徴とするものである。
【０００７】
本発明に係わる防護柵のビーム取付構造によれば、ビームと継手金具とにボルト孔を穿設するのみでビームの取り付けが可能となり、防護柵の形成に係わる工程は簡便なものとなるが、係止部と嵌着孔とが嵌着されて、ナットの締結時に共回りしないようになされていることで、設置時にはボルトを押さえることなくナットを緊結することができ、設置時の作業は容易なものとなり得る。
【０００８】
更には、嵌着孔が継手金具に設けられていることで、嵌着孔がビームにより隠されて目立つことがなく、係止部及び嵌着孔の形状の自由度を高めることができる。
【０００９】
また請求項１に記載の防護柵のビーム取付構造において、前記嵌着孔はビームの延設方向に沿って長孔となされ、該長孔内の長手方向に沿って前記係止部が摺動可能となされていれば、ビームの取付位置の微調整を容易に行うことができ好ましい。
【発明の効果】
【００１０】
本発明に係わる防護柵のビーム取付構造によれば、ビームと継手金具とにボルト孔を穿設するのみでビームの取り付けが可能となり、防護柵の形成に係わる工程は簡便なものとなるが、係止部と嵌着孔とが嵌着されて、ナットの締結時に共回りしないようになされていることで、設置時にはボルトを押さえることなくナットを緊結することができ、設置時の作業は容易なものとなり得る。
【００１１】
更には、嵌着孔が継手金具に設けられていることで、嵌着孔がビームにより隠されて目立つことがなく、係止部及び嵌着孔の形状の自由度を高めることができる。
【発明を実施するための最良の形態】
【００１２】
本発明に係わる最良の実施の形態について、図面に基づき以下に具体的に説明する。
【００１３】
図１は、本発明に係わる防護柵のビーム取付構造を適用する防護柵の一例を示す説明図である。防護柵１００は、ガラスビーズを埋設した反射体Ｒが取り付けられた支柱１０には、上端付近に取付金具Ｍを用いて上段ビーム２０が取り付けられ、更に前面側に取付ボルトＢを用いてブラケットＫが取り付けられ、ブラケットＫに取り付けられた継手金具１を用いて上段ビーム２０の下方にビーム３が、ボルト２及びナット４を用いて取り付けられている。
【００１４】
図２は、継手金具１を用いたビームの取り付けを示す説明図である。ブラケットＫの左右いずれかから筒状の継手金具１が挿入されてボルトＢが螺着されることで支柱１０にブラケットＫ及び継手金具１が固定される。次にビーム３が端部から継手金具１に挿通される。継手金具１及びビーム３には、上下方向にボルト２を挿通するボルト孔１１及び３１が予め穿設され、ビーム３に継手金具１が挿通された状態で、ボルト孔１１とボルト孔３１との位置が合わせられると共に上方からボルト２が上下方向に挿通され、挿通された後にナット４が螺着されてビーム３が取り付けられる。
【００１５】
図３は、継手金具１を示すもので、（ａ）は正面図、（ｂ）は平面図、（ｃ）は側面図である。継手金具１の上面及び下面には、各々ボルト孔１１が一対に四組穿設されているが、上面側のボルト孔１１は（ｂ）に示すように平面矩形の嵌着孔１２となされている。また（ｃ）示す如く、継手金具１の内面には断面コ字状の取付部材１５を用いて取付ナット１４が取付ボルト孔１３の上面に設けられており、ブラケットＫへの取付時にボルトＢが取付ボルト孔１３を挿通して取付ナット１４に螺着されるようになされている。
【００１６】
図４は、ボルト２を示すもので、（ａ）は側面図、（ｂ）は（ａ）のＡ−Ａ断面図、（ｃ）は継手金具１の嵌着孔１２と係止部２２との嵌着状態を示す平面図である。ボルト２は、ねじ部２４が設けられたボルト部２１と頭部２３とを備えたもので、ボルト部２１の頭部２３側端部には、（ｂ）に示す如く断面矩形となされた係止部２２が設けられている。（ｃ）において、嵌着孔１２と係止部２２とは断面矩形となされ、係止部２２が嵌着孔１２より稍々小さい幅及び高さとなされて、嵌着可能となされると共にねじ部２４にナット４を螺着して緊結する際に、係止部２２が嵌着孔１２により回転するのが抑えられて共回りが防止されるようになされている。
【００１７】
またボルト２については、図５に示すように、係止部２２のねじ部２４側端部の、断面矩形をなす端部が傾斜面とされて面取り部２２１となされていれば、ボルト２のボルト孔１１及び３１への挿通時に角部が当たって挿入しづらくなることを防止でき好ましい。
【００１８】
図６は、継手金具１の他の例を示すもので、（ａ）は側面図、（ｂ）は平面図である。継手金具１は、図３に示したものと同様に、上下方向にボルト２を挿通可能なボルト孔１１が一対に四組穿設されているが、ボルト孔１１は各々継手金具１の延設方向、すなわちビーム３の延設方向に沿って長孔となされている。（ｂ）に示す如く嵌着孔１２はビームの延設方向が長辺となされた長方形の形状となされている。
【００１９】
図７は、図６に示した継手金具１を用いた嵌着孔１２と、ボルト２の係止部２２との嵌着状態を示す平面図である。係止部２２は、高さが嵌着孔１２より稍々小さくなされ、且つ幅すなわちビーム３の延設方向の大きさは嵌着孔１２よりはるかに小さくなされていることで、ナット４緊結時のボルト２の共回りの防止が維持されると共に、嵌着孔１２内で係止部２２がビーム３の延設方向に沿って摺動可能となされてビーム３の取付位置の調整が容易になるようになされている。
【図面の簡単な説明】
【００２０】
【図１】本発明に係わる防護柵のビーム取付構造が適用される防護柵の一例を示す正面図である。
【図２】図１におけるビームの取り付けを説明する正面図である。
【図３】本発明に係わる防護柵のビーム取付構造に用いられる継手金具の一例を示す説明図である。
【図４】本発明に係わる防護柵のビーム取付構造に用いられるボルトの一例を示す説明図である。
【図５】本発明に係わる防護柵のビーム取付構造に用いられるボルトの、他の例を示す説明図である。
【図６】本発明に係わる防護柵のビーム取付構造に用いられる継手金具の、他の例を示す説明図である。
【図７】図６に示した継手金具を用いたビームの取付構造を示す平面図である。
【符号の説明】
【００２１】
１    継手金具
１１  ボルト孔
１２  嵌着孔
２    ボルト
２１  ボルト部
２２  係止部
３    ビーム
３１  ボルト孔
４    ナット
１０  支柱
【図１】
2006328857.tif 000003
【図２】
2006328857.tif 000004
【図３】
2006328857.tif 000005
【図４】
2006328857.tif 000006
【図５】
2006328857.tif 000007
【図６】
2006328857.tif 000008
【図７】
2006328857.tif 000009